(57)【要約】【課題】ステータバー（１００）用のクレードル（１１０）を提供する。【解決手段】本クレードル（１１０）は、ステータバーの少なくとも２／３にわたって延びる長さを有するプラットフォームと、プラットフォームの長さに沿って配置された複数のクランプ（１１２）と、プラットフォームの調整可能なアーム上に配置された、ステータバーの各エンドターンの位置における少なくとも１つのエンドターングリッパ（１１４）と、昇降装置と係合する、プラットフォームの中央部における連結器（１１８）とを含む。【選択図】      図２
2007043899.tif 000002
【特許請求の範囲】
【請求項１】
ステータバー（１００）を取扱う方法であって、
前記ステータバーをクレードル（１１０）上に取付ける段階と、
移送装置（９４）を、該移送装置と前記ステータバーとの実質的な接触を避けて前記クレードルに連結する（１０５）段階と、
前記移送装置を使用して前記クレードル及びステータバーを移送する段階と、
前記移送装置を使用して前記バーの端部をろう付けステーション（９０）と整列させる段階と、
を含む方法。
【請求項２】
前記移送する段階が、前記クレードル及びステータバーを水平な向きから水平に対して少なくとも４５°の向きに回転させる（１３０）段階を含む、請求項１記載の方法。
【請求項３】
前記移送する段階及び整列させる段階が、前記ステータバーの上端部を実質的に垂直な向きにおいて前記ろう付けステーション（９０）と整列させる段階と、前記バーを実質的に１８０°回転させて該バーの別の端部を前記ろう付けステーションと整列させる段階とをさらに含む、請求項２記載の方法。
【請求項４】
前記ステータバー（１００）が、前記クレードル（１１０）がプラットフォーム（９８）上にある時に該クレードル上に取付けられ、前記クレードルを移送する段階が、前記プラットフォームから前記クレードルを持上げる段階を含み、
前記方法が、前記バーの少なくとも１つの端部をろう付けした後に、前記クレードル及びステータバーを前記プラットフォームに移送する段階をさらに含む、請求項1記載の方法。
【請求項５】
前記クレードル上のクランプ（１１２）が、前記ステータバーの長さに沿った複数の位置において該ステータバーの両側面を把持する、請求項1記載の方法。
【請求項６】
前記クランプが、前記ステータバーの端部セクションを把持する端部クランプ（１１４）をさらに含み、前記端部クランプが、前記ステータバーの長さに適応するように長手方向に調整される、請求項５記載の方法。
【請求項７】
ステータバー（１００）を取扱う方法であって、
クレードル（１１０）中に前記ステータバーがある時に該ステータバーに隣接する複数のクランプ（１１２）を含み且つ該クレードル（１１０）の両端部において前記クランプ（１１２）が端部クランプ（１１４）を有するようなクレードル（１１０）上に、前記ステータバーを取付ける段階と、
前記ステータバーの長さに適応するように前記端部クランプ（１１４）の長手方向位置を調整する段階と、
前記クランプの各々で前記バーの両側面を把持する段階と、
前記クレードル及びステータバーがその上で実質的に水平な向きになっているプラットフォーム（９８）から該ステータバーを取付けたクレードルを持上げる（９４）段階と、
前記クレードル及びステータバーを水平な向きから水平に対して少なくとも４５°の向きに回転させる（１３０）段階と、
前記バーの上端部をろう付けステーション（９０）と整列させる段階と、
前記バーを回転させて該バーの端部の位置を逆にする段階と、
前記クレードル及びステータバーを水平な向きに戻す段階と、
を含む方法。
【請求項８】
前記端部クランプの長手方向位置を調整する段階が、前記端部クランプ（１１４）を支持するアームを伸長又は縮退させる段階を含む、請求項７記載の方法。
【請求項９】
前記バーを前記クランプ（１１２）で把持する時に前記クレードルに対して該クランプをピボット動させる段階をさらに含む、請求項７記載の方法。
【請求項１０】
ステータバー（１００）用のクレードル（１１０）であって、
前記ステータバーの少なくとも２／３にわたって延びる長さを有するプラットフォームと、
前記プラットフォームの長さに沿って配置された複数のクランプ（１１２）と、前記プラットフォームの調整可能なアーム上に配置された、前記ステータバーの各エンドターンの位置における少なくとも１つのエンドターングリッパ（１１４）と、
昇降装置と係合する、前記プラットフォームの中央部又は中央部付近における連結器（１１８）と、
を含むクレードル。
【発明の詳細な説明】
【技術分野】
【０００１】
本発明は、発電機及び産業用発電機に使用する大型のステータバー関し、これらのバーをステータ内に据付ける前にこれらのバーを取扱うこと、また組立て時にこれらのバーにヘッダクリップを固定することに関する。
【背景技術】
【０００２】
ステータバーは一般的に、大型で、長くかつ重く、例えば長さ約10.7ｍ（３５フィート）及び重さ数重〜数百ｋｇ（数百ポンド）もある。これらのバーは、ほぼ直線的であり、ステータの長さにわたって延びる。ステータ内に装着した時、ステータバーの直線状セクションは、ロータの周りで円筒形アレイを形成する。ステータバーの端部は、ステータの両端部から軸方向に延びる。ステータバーの端部部分は、ステータの端部から延び、湾曲してエンドターンを形成する。ステータバーの端部は、銅又はステンレス鋼製結合金具及び水冷却結合部を介して結合されて、連続した流体巻線回路を形成する。
【発明の開示】
【発明が解決しようとする課題】
【０００３】
バーを垂直に保持するためには、ステータバーをろう付けステーションと整列させるように位置決めする時またステータバーを水平姿勢から垂直姿勢に回転させる時に、ステータバーを保持することができるクレードルに対する必要性が存在する。
【課題を解決するための手段】
【０００４】
ステータバーを取扱う方法は、ステータバーをクレードル上に取付ける段階と、移送装置を、該移送装置がステータバーと実質的に接触しないようにクレードルに連結する段階と、移送装置を使用してクレードル及びステータバーを移送する段階と、移送装置を使用してバーの端部をろう付けステーションと整列させる段階とを含む。
【０００５】
ステータバー用のクレードルを開発したが、本クレードルは、ステータバーの少なくとも２／３にわたって延びる長さを有するプラットフォームと、プラットフォームの長さに沿って配置された複数のクランプと、プラットフォームの調整可能なアーム上に配置された、ステータバーの各エンドターンの位置における少なくとも１つのエンドターングリッパと、昇降装置と係合する、プラットフォームの中央部における連結器とを含む。
【０００６】
それに代えて、本クレードルは、ビームとクロスブレースとを含む、ステータバーの少なくとも２／３にわたって延びる長さを有するプラットフォームと、プラットフォームの長さに沿って配置された複数のクランプと、プラットフォームの伸長又は縮退可能なアーム上に配置された、ステータバーの各エンドターンの位置における少なくとも１つのエンドターングリッパと、昇降装置と係合する、プラットフォームの中央部又は中央部付近における連結器とを含む。
【０００７】
ステータバーを取扱う方法を開発したが、本方法は、その中にステータバーがある時に該ステータバーに隣接する複数のクランプを含みかつその両端部においてクランプが端部クランプを含むようになったクレードル上に、ステータバーを取付ける段階と、ステータバーの長さに適応するように端部クランプの長手方向位置を調整する段階と、クランプの各々でバーの両側面を把持する段階と、クレードル及びステータバーがその上で実質的に水平な向きになっているプラットフォームから該ステータバーを取付けたクレードルを持上げる段階と、クレードル及びステータバーを水平な向きから水平に対して少なくとも４５°の向きに回転させる段階と、バーの上端部をろう付けステーションと整列させる段階と、バーを回転させて該バーの端部の位置を逆にする段階と、クレードル及びステータバーを水平な向きに戻す段階とを含む。
【発明を実施するための最良の形態】
【０００８】
図１は、一般的な液体冷却式発電機内のステータ用の液体冷却式ステータバー構成を示す。ステータコア１０は、ステータコアフランジ１２とコアリブ１４とを有する。ステータバー１６（アーマチュア巻線バーとも呼ばれる）は、ステータコア内の半径方向に延びるスロットを貫通し、その両端部において該バーの端部に取付けた液圧ヘッダクリップ１８によってキャップされる。入口ホース２２は、入口クリップ１８を入口冷却媒体ヘッダ２４に結合する。出口ホース２６は、出口クリップ１８を出口冷却媒体ヘッダ２８に結合する。各ステータバーは、アーマチュアコイルの半分を形成する。それらの両端部において結合された１対のステータバーは、完全なアーマチュアコイルを形成する。銅又はステンレス鋼製結合金具２０が、ステータバー対の隣接する端部を結合して、完全なアーマチュアコイルを形成する。
【０００９】
図２は、液圧ヘッダクリップがない状態でのステータバー１６の端面斜視図である。バーは、中実銅ストランド３４及び中空銅ストランド３６の矩形アレイである。図３は、ろう付けストリップ３０及びろう付けシート５０と共にクリップ１８内に挿入したアーマチュア巻線バー１６の端部の斜視図である。クリップ１８の側方には、クリップカバー３２を示している。図２において、ろう付けストリップ３０は、バー１６の階段状になった中実銅ストランド３４の列と中空銅ストランド３６の列との間に挟まれ（インタリーブされ）ている。ろう付けの直前にかつステータバーの端部において、ろう付けストリップは、ストランド３４、３６間に挿入される。さらに、ろう付けシート５０及びクリップカバー３２は、クリップ１８内に組み付けられる。
【００１０】
液圧ヘッダクリップ１８（ステータバークリップとも呼ばれる）は、例えば銅のような導電性材料で形成される。クリップ１８は、中空であり、アーマチュア巻線バー１６の端部の外側面上で摺動する矩形状カラー３８を含む。カラーの矩形状スロット３９は、アーマチュア巻線バーの端部とろう合金のインタリーブストリップ３０とを受ける。クリップカバー３２は、カラー３８の側面内の一致した矩形状スロット３９内に嵌合される。クリップ１８の他端部には、冷却媒体回路に結合するように構成された円筒形結合端部４０が設けられる。
【００１１】
ろう付け前の位置に置かれたろう合金ストリップは、短い中実ストランドの端部を越えて延びる。ろう付け前の位置に置かれた合金の高さは、ろう付け工程中にろう合金が完全に溶融するが、延びた中空ストランドの開放端部内に流入することにはならないように選択される。
【００１２】
ろう付け中に、ステータバーは、垂直姿勢に保持され、バーの端部は、水平になっている。溶融したろう合金は、ステータバーの中実ストランドの端部上に溶融池を形成する。ろう付けの後、ろう合金は、アーマチュア巻線バーの端部上（しかし、中空ストランドの端部上ではない）にろう合金隔離皮膜を形成する。この隔離層は、中実ストランド端部と接合部とをクリップ内の冷却媒体通路から遮蔽する。ろう合金はまた、クリップをストランドに接合すると共にストランド端部を互いに接合する。
【００１３】
図４、図５及び図６は、それぞれステータバーを垂直姿勢でろう付けするためのろう付けステーション９０の側面図、端面図及び上面図である。ろう付けステーション９０は、ピット９１と、このピット上方のブリッジ９２と、ピット９１の底面からブリッジまで延びるステータバー昇降機９４とを含む。地中ピット９１は、その中でステータバーの姿勢を変える、例えばバーの中央部がブリッジ９２のレベルにある状態でバーを垂直平面内で回転させるための大きなボリュームを備える。地中ピットは、約3.7ｍ（１２フィート）の深さ、約12ｍ（４０フィート）の長さ及び約9.8ｍ（３２フィート）の幅（これはほぼステータバーの長さである）を有する。ここに開示した寸法は例示的なものであって、ろう付けステーションは、特定のステータバーの用途に合せて異なる寸法に設計することができる。地中ピットの寸法は、ステータバーの中央部がブリッジの高さにありかつブリッジの長さの中間点とほぼ整列している場合に、ステータバーをその中央部の周りで回転させるのを可能にするのに十分であればよい。
【００１４】
地中ピット９１内には、ろう付け作業ステーション９４及びブリッジの中間点９５と垂直方向にほぼ整列した深いピット９６が設けられる。この深いピット９６は、円筒形とすることができる。深いピットは、ステータバーの上端部が作業ステーションと同じレベルになるまで該ステータバーを垂直方向に下降させるのを可能にする。例えば、深いピット９６は、ステータバーの長さに等しい距離、例えば約9.6ｍ（31フィート半）だけブリッジの下方に位置しかつ約7.2ｍ（２３フィート半）の地表レベルから下方の深さである底面を有することができる。地中ピット９１及び深いピット９６を掘削する費用は、深いピット９６の水平断面積を垂直姿勢のステータバーを上昇させかつ下降させるのに十分な面積に限定し、かつ地中ピット９１を昇降機９４による移動距離の上限のあたりでステータバーを回転させるのを可能にするのに十分な深さに限定することによって、最小になる。
【００１５】
垂直姿勢ろう付けステーション９０は、クレーン天井高さを可能にするような、ステータバーを取扱うのに十分なより少ない空間距離、例えば約7.6ｍ（２５フィート）の空間距離を有する屋根を備えた工場ベイ内に設けることができる。ステーション内のブリッジ９２は、ピット９１、９６の必要掘削深さを少なくするような高さにすることができる。ブリッジ９２は、技術者がピット内で垂直に保持されたステータバーの端部をろう付けするのを可能にするような作業ステーション９５を有する。ブリッジと関連させて、液圧クリップをステータバーの端部にろう付けするために必要なろう付けフード及びその他の装置（図示せず）が設けられる。ステータバーは、ピット９１のいずれか一方又は両方の側部の保管プラットフォーム９８上に水平に保管される。これらのプラットフォームは、ほぼ水平であるが、水平から最大１０°までのように僅かに傾斜させることもできる。バーは、プラットフォームにおいてクレードル１１０（図１３）上に取付けることができる。
【００１６】
ピット内のかつブリッジに隣接する昇降機９４は、ステータバーを保持した状態でステータバーをピット内に位置させる。昇降機の代わりに、クレーン又はその他のステータバー取扱い機構を使用して、ステータバーをプラットフォーム９８からピットに移動させ、かつバーをそれが作業ステーションと整列するように回転させることができる。ステータバーは、昇降機９４にラッチ留めされたクレードル１１０によって支持される。１つのクレードルは、１対のステータバーを保持することができる。昇降機９４は、作業ステーション９５及び保管プラットフォーム９８に対してステータバーを移動させる。昇降機は、保管プラットフォーム９８と作業ステーションとの間でステータバー及びクレードルを移動させ、また水平姿勢と垂直姿勢との間でステータバーを回転させる。昇降機は、深いピット９６の上方に取付けられかつ浅いピット９１の床上に据付けられたフレーム内に１対の垂直レール９９を含むことができる。電機モータ１０１は、昇降機９４をレール９９に沿って上方及び下方に駆動し、それによってクレードル１１０及びステータバーを上昇及び下降させる。さらに電動機１０１は、垂直平面内でクレードルを回転させることができる。
【００１７】
図７は、積込みプラットフォーム９８から昇降機９４へのステータバー１００及びクレードル１１０の積込みを示す概略平面図である。ブリッジを通る破線は、ブリッジの下方にある昇降機９４を示す。作業員１０２は、上方及び下方に移動する作業ステーション９５に立っている。図７に示すように、作業員１０２は、ブリッジ上の他の作業員１０３がいるのと同じレベルにいることができる。これと対照的に、図１０は、ステータバーの端部に対して作業員及びろう付けフード１０６をより良好に位置決めするために作業ステーション９５を垂直方向に移動させることができることを示している。
【００１８】
図８に示すように、昇降機９４は、例えば伸縮アームのようなそのアーム１０４を外向きに伸長させて積込みプラットフォーム９８から１つ又はそれ以上のステータバーを取付けたクレードル１１０を把持する。アームは、遠位端に連結・ラッチ機構１０５を有しており、この連結・ラッチ機構は、ステータバーを保持したクレードル上の連結部を把持する１対のフィンガとすることができる。ラッチ機構はさらに、垂直平面内においてステータバー及びそのクレードルを昇降機アーム１０４の遠位端の周りで回転させるのを可能にする回転取付け機構を含む。
【００１９】
ステータバー１００は、それらが保管プラットフォーム９８からピット９１に移動される時、水平姿勢になっている。昇降機９４は、クレードル及びそのステータバーを上昇させ、クレードル及びバーを垂直な向きに回転させる。ステータバーを上昇させることにより、クレードル及びステータバーをプラットフォームから持上げることが可能になる。垂直姿勢のステータバーは、それらの上端部が作業ステーション９５から届く範囲内になるように降下される。作業ステーション９５は、ステータバーの端部に対して適正に位置決めされるように、上昇又は下降させかつ左方に又は右方に（ブリッジと平行に）移動させることができる。さらに、昇降機アーム１０４はバー１００を縮退方向（後方向）又は伸長方向（前方向）（ブリッジに対して垂直な方向に）に移動させて、作業ステーションに対してバーを位置決めするのを援けることができる。ろう付けステーションは、ステータバーの端部をろう付けフード内に位置決めするために、６つ移動自由度をもたらすことができる。これら６つの自由度とは、バー及び作業ステーションの上下移動、バーの前後移動、作業ステーションの左右移動である。
【００２０】
作業ステーションは、ステータバーの端部を加熱してクリップにろう付けするために使用するろう付けハウジング１０６を含むことができる。作業ステーション９５において、ステータバーの上端部は、ろう付けフード１０６内に支持され、そこでステータバーにクリップがろう付けされる。作業ステーション９５は、該作業ステーションをステータバーの端部に対して最良の位置に向けるように上昇又は下降させることができる（図８及び図１０を比較のこと）。クリップがステータバーにろう付けされると、昇降機アーム１０４は、ステータバーを前方向に移動させかつ１８０°回転させて（図４の円弧を参照のこと）、図９及び図１０に示すように、ステータバーの反対側端部を作業ステーション９５まで持上げる。ステータバーの両端部が液圧クリップにろう付けされると、昇降機９４は、ステータバーを水平姿勢に回転させ、アーム１０４を伸長させてステータバー及びクレードルを積込みプラットフォーム９８に戻すように移動させる。
【００２１】
図１１は、その上に２つのステータバーを取付けた状態でのステータバークレードル１１０の端面斜視図である。クレードル１１０は、ステータバーに剛体支持を与える長手方向ビーム及び横ビームを有する矩形フレームである。ステータバーは、ろう付けステーション９０に隣接するプラットフォーム９８において、クレードル上に積込むことができる。
【００２２】
ステータバー保持クレードル１１０は、ステータバーに液圧ヘッダ端部クリップを取付ける時にステータバーを固定する。クレードルは、バーの直接的な取扱いを回避し、バーに対する損傷を回避するための保護装置である。加えて、クレードルは、昇降機による複数位置取扱いのための係合を保証する、昇降機９４に対するインタフェースとしての働きをする。ステータバー保持クレードル１１０は、ステータバーの複数位置取扱いをもたらす。クレードルは、垂直姿勢作業のためにバーに対して少なくとも３つ、好ましくは６つの自由度拘束作用を有する。
【００２３】
クレードル１１０の拘束システムは、クレードルの長さに沿って並んで配置された角度調整可能な両側クランピンググリッパ１１２を含む。ステータバーの直線状セクションを把持するために、例えばクレードルの長さに沿って均等な間隔で配置した６つのステータバーグリッパ１１２を設けることができる。これらのグリッパは、ステータバースレッドに沿って長手方向に配置され、かつこのスレッドに対してピボット動可能に取付けられる。このピボット運動により、ステータバーにおける僅かな曲がり及びその他の変動に対してグリッパを調整することが可能になる。クランプグリッパ１１２は、ステータバー１００の直線状セクションを把持する。バーの各エンドターンセクションの位置には、エンドターンを把持するためのエンドターンクランプグリッパ１１４を備えた２つの調整可能なアームが、設けられる。調整可能なエンドグリッパ１１４は、異なるバーアーム長に適合するように調整される油圧伸長可能なアーム１１６を有する。クレードル１１０は、昇降機９４上の例えば１対のフィンガのようなクレードル連結器と確実に係合するための９０°（直交）デュアルピン連結システム１１８を有する。
【００２４】
デュアルピン取扱い係合・固定機構１１８は、クレードルの中央部に設けることができる。このデュアルピン機構は、昇降機からのフィンガを受ける１対の矩形状チューブのブラケットとすることができる。フィンガは、昇降機９４にクレードルを確実に取付けるように、矩形状チューブと係合しかつこれらのチューブに固定される。昇降機からのフィンガを２つの直交方向から受けるように、９０°で配置した２対のチューブを設けることができる。
【００２５】
クレードルはまた、スレッドの長さに沿って配置されかつステータバーグリッパ列の各々と関連するシャフト１１７を含む。このシャフト１１７は、アーム１１６に対する軸方向の調整を可能にするプラットフォームである。これらのアームは、異なる長さを有するステータバーのエンドターンと整列させるために各異なるバーアーム形状に合せてシャフトに沿って縮退及び伸長する。アームは、油圧駆動させて、異なる長さのステータバーに適応させることができる。
【００２６】
図１２は、ステータバークレードルの側面斜視図である。この図には、取扱い装置及び係合固定機構を一層明らかに示す。さらに、グリッパは、スレッドに対してピボット動可能に取付けられるものとして示す。グリッパのピボット運動は、ステータバーに対してグリッパを調整可能にしながら、ステータバーに対して依然として確実な支持を与える。
【００２７】
図１３は、調整可能なステータバーグリッパ１１２の１つの側面斜視図である。これらのグリッパは、高さ調整可能なねじ付きシャフト１２２によって持上げられた、ステータバースレッドに固定されるピボット位置１２０を有する。このピボット位置は、ステータバーを受け入れるための比較的柔軟なパッド１２６を有する下方平坦ブレース１２４に帰属する。このブレースの一端部には、上端部に上方平坦ブレース１３２に対するピボット取付け部１３０を有する直立コラム１２８が設けられる。上方平坦ブレースは、ステータバーを受けるために上向きにピボット動され、次いでバーを把持するために閉じられる。上方ブレース１３２は、下方ブレース１２４の端部にピボット動可能に取付けられた係合シャフト１３６を受けるスロット１３４を備えた反対側端部を有する。係合シャフト１３６は、ねじ付きとし、緩めた時に、ねじ付きシャフトが上方ブレースのスロットから外れるようにピボット動するのを可能にする蝶ねじ１３８を有することができる。蝶ねじは、シャフト１３６を上方ブレースのスロット１３４内に固定するために締付けられる。
【００２８】
上方ブレースはさらに、下向きに下方ブレース上のパッドに向かって延びるグリッパパッド１４０を含み、このグリッパパッド１４０は、ゴム引きのものとすることができる。ステータバーは、ゴム引きグリッパパッド１４０と下方ブレース１２４上のパッド１２６との間で保持される。ねじ付きシャフト・ねじ装置１４２は、上方ブレース１３２とグリッパパッドとの間の距離を調整し、ステータバー上にパッドを締付けるために使用することができる。
【００２９】
操作時、調整可能なバーグリッパクランプ１１２は、蝶ねじ１３８を緩めかつねじ付きシャフト１３６を上方ブラケット１３２内のスロット１３４から外れるようにピボット動させることによって開放される。上方ブラケットをピボット動１３０させて、クランプを開放してステータバーを受ける。ステータバーが下方パッド１２６上に配置されると、上方ブレース１３２を閉じかつ蝶ねじ１３８を締付けて、下方ブレース１２４に対して上方ブレースを固定する。必要な場合には、グリッパを上方ブラケットに結合するねじ付きシャフト１４２を締付けることによって、ゴム引きグリッパパッド１４０を下向きに移動させる。
【００３０】
クレードルは、ステータバーの支持において幾つかの利点を提供する。これらの利点には、（それに限定されないが、）側方の移動（上下、左右及び前後）の６つの自由度及び回転に対してバーを支持すること、バーの直線状セクションに沿った両側クランピンググリッパを有する角度調整可能なグリッパクランプ１１２でバーを支持すること、各クレードル端部においてステータバーのエンドターン部分を保持するグリッパを備えた調整可能なアームを有すること、調整可能なアームがステータバーの異なる長さに適応するための油圧伸長可能なセクションを有すること、２つ（又はそれ以上）のステータバーを保持する能力を有すること、並びに例えば昇降機のようなバー取扱いシステムと確実に係合（把持及び固定）するための９０°（直交）デュアルピン連結システムを有することが含まれる。
【００３１】
現在最も実用的かつ好ましい実施形態であると考えられるものに関して本発明を説明してきたが、本発明は開示した実施形態に限定されるものではなく、逆に、特許請求の範囲の技術思想及び技術的範囲内に含まれた様々な変更及び均等な構成を保護しようとするものであることを理解されたい。
【図面の簡単な説明】
【００３２】
【図１】ステータと、ステータバーと、入口及び出口冷却媒体ヘッダに結合された液圧ヘッダクリップとを示す、液体冷却式ステータ巻線構成の概略図。
【図２】階段状になった中空及び中実ストランドの列とろう付け材料のインタリービングシートとを示す、アーマチュア巻線バーの端部の斜視図。
【図３】クリップの側方にろう付け材料とクリップカバーとを示した、液圧ヘッダクリップ内に挿入されたアーマチュア巻線バーの端部の分解斜視図。
【図４】図６の線４−４で示した、端部クリップを巻線バーに取付けるためのろう付けステーションの側面図。
【図５】図６の線５−５で示した、端部クリップを巻線バーに取付けるためのろう付けステーションの端面図。
【図６】端部クリップを巻線バーに取付けるためのろう付けステーションの平面図。
【図７】作業ステーションピット内のステータバー移送装置上へのステータバーの積込みを示す、ろう付けステーションの平面図。
【図８】ステータバー移送装置が伸長して積込みステーションからステータバーを受けることを示す、ろう付けステーションの側面図。
【図９】移送装置がピット上方にステータバーを移動させることを示す、ろう付けステーションの平面図。
【図１０】ステータバーが垂直姿勢に回転されかつろう付けのための位置に移動されることを示す、ろう付けステーションの端面図。
【図１１】ステータバーをろう付けステーション内に保持するためのクレードルの端面斜視図。
【図１２】図１１に示すクレードルの側面斜視図。
【図１３】ステータバーをクレードル上に保持するための調整可能なクランプを示す図。
【符号の説明】
【００３３】
１０  ステータコア
１６  アーマチュア巻線バー
１８  液圧ヘッダクリップ
２０  結合金具
３０  ろう付けストリップ
３２  クリップカバー
３４  中空銅ストランド
３６  中実銅ストランド
５０  ろう付けシート
９０  ろう付けステーション
９１  地中ピット
９２  ブリッジ
９４  移送装置
９５  作業ステーション
９６  深いピット
９８  保管プラットフォーム
１００  ステータバー
１０４  昇降機アーム
１０６  ろう付けフード
１１０  クレードル
１１２  クランプ
【図１】
2007043899.tif 000003
【図２】
2007043899.tif 000004
【図３】
2007043899.tif 000005
【図４】
2007043899.tif 000006
【図５】
2007043899.tif 000007
【図６】
2007043899.tif 000008
【図７】
2007043899.tif 000009
【図８】
2007043899.tif 000010
【図９】
2007043899.tif 000011
【図１０】
2007043899.tif 000012
【図１１】
2007043899.tif 000013
【図１２】
2007043899.tif 000014
【図１３】
2007043899.tif 000015